(57)【要約】  結果として生じる特別注文の毛髪色をシミュレーションする方法であって、結果として生じる特別注文の可能な毛髪色の中から結果として生じる特別注文の毛髪色を選択する方法、及び前期結果として生じる特別注文の毛髪色を付与する特別注文の染毛組成物を配合する方法が開示される。【特許請求の範囲】
【請求項１】
結果として生じる特別注文の毛髪色をシミュレーションする方法であって、
前記毛髪色は特別注文の染毛組成物により毛髪に付与され、
前記特別注文の染毛組成物は少なくとも２つの異なる色合いの成分の混合物から配合され、
前記少なくとも２つの異なる色合いの成分の混合物は、混合可能な異なる色合いの成分の規定された集合から選択される
方法において、
前記方法は、
（ａ）前記毛髪の初期毛髪色をコンピュータシステムに入力する工程、
（ｂ）前記混合物に添加するための、前記規定された集合から選択される第１の色合い成分の量を、前記コンピュータシステムに入力する工程、
（ｃ）前記混合物に添加するための、前記規定された集合から選択される第２の色合い成分の量を前記コンピュータシステムに入力する工程、
（ｄ）任意選択で、前記混合物に添加するための１以上の追加の色合い成分の量を前記コンピュータシステムに入力する工程であって、前記追加の色合い成分のそれぞれが前記規定された集合から選択される、工程、
（ｅ）前記毛髪の入力された前記初期毛髪色と、前記混合物に添加するための前記第１、第２及び任意選択の追加の色合いの各成分の入力された前記量とに基づき、結果として生じそうな求められる特別注文の毛髪色を、前記コンピュータシステムを用いて予測する工程、
（ｆ）前記結果として生じそうな特別注文の毛髪色を表す視覚映像を、前記コンピュータシステムを用いて生成する工程、及び
（ｇ）前記結果として生じる特別注文の毛髪色をシミュレーションするために、前記結果として生じそうな特別注文の毛髪色を表す前記視覚映像を表示する工程
を含む、方法。
【請求項２】
前記工程（ａ）が、可能な初期毛髪色の所定の群から前記初期毛髪色を選択することを含む、請求項１に記載の方法。
【請求項３】
前記可能な初期毛髪色の前記所定の群が、異なる色の毛髪の複数の視覚映像を含む、請求項２に記載の方法。
【請求項４】
異なる色の毛髪の前記複数の視覚映像が、明るいブロンドの毛髪、暗いブロンドの毛髪、及びミディアムブラウンの毛髪を、それぞれ表す視覚映像を含む、請求項３に記載の方法。
【請求項５】
前記コンピュータシステムに前記毛髪の毛髪種類を入力する工程を更に含む、請求項１に記載の方法。
【請求項６】
前記毛髪の毛髪種類を入力する前記工程が、可能な毛髪種類の所定の群から前記毛髪種類を選択することを含む、請求項５に記載の方法。
【請求項７】
可能な毛髪種類の前記所定の群が、異なる種類の毛髪の複数の視覚映像を含む、請求項６に記載の方法。
【請求項８】
異なる種類の毛髪の前記複数の視覚映像が、ストレートヘア、ウェーブがかった髪、及び縮毛をそれぞれ表す視覚映像を含む、請求項７に記載の方法。
【請求項９】
前記工程（ｇ）がカラーサークルの視覚映像を表示することを含み、前記結果として生じそうな特別注文の毛髪色を表す前記視覚映像が、前記カラーサークルの示された１点である、請求項１に記載の方法。
【請求項１０】
前記工程（ｇ）が、前記結果として生じそうな特別注文の毛髪色である色を有する、毛髪の視覚映像を表示することを含む、請求項１に記載の方法。
【請求項１１】
結果として生じる所望の特別注文の毛髪色を選択する方法であって、
前記毛髪色は特別注文の染毛組成物により毛髪に付与され、
前記特別注文の染毛組成物は少なくとも２つの異なる色合いの成分の混合物から配合され、
前記少なくとも２つの異なる色合いの成分の混合物は、混合可能な異なる色合いの成分の規定された集合から選択される
方法において、
前記方法は、
（ａ）第１の可能な結果として生じる特別注文の毛髪色をシミュレーションするために、請求項１に記載の方法を実施する工程であって、
前記第１の可能な結果として生じる特別注文の毛髪色が、
前記結果として生じそうな特別注文の毛髪色を表す、対応する視覚映像と、
前記混合物に添加するための、前記第１、第２、及び任意選択の追加的な色合い成分のそれぞれに対応する入力量と、
を有する工程、
（ｂ）前記第１の可能な結果として生じる特別注文の毛髪色に対応する、前記結果として生じそうな特別注文の毛髪色を表す前記視覚映像と、
前記第１の可能な結果として生じる特別注文の毛髪色に対応する前記混合物に添加するための、前記第１、第２、及び任意選択の追加的な色合い成分のそれぞれの入力量と
を保存する工程、
（ｃ）第２の可能な結果として生じる特別注文の毛髪色をシミュレーションするために、請求項１による方法を実施する工程であって、
前記第２の可能な結果として生じる特別注文の毛髪色が、
前記結果として生じそうな特別注文の毛髪色を表す、対応する視覚映像と、
前記混合物に添加するための、前記第１、第２、及び任意選択の追加的色合い成分のそれぞれの入力量と、
を有する工程、
（ｄ）前記第２の可能な結果として生じる特別注文の毛髪色に対応する、前記結果として生じそうな特別注文の毛髪色を表す前記視覚映像と、
前記第２の可能な結果として生じる特別注文の毛髪色に対応する前記混合物に添加するための、前記第１、第２、及び任意選択の追加的な色合い成分のそれぞれの入力量と、
を保存する工程、
（ｅ）任意選択で、１以上の追加的な可能な結果として生じる特別注文の毛髪色をシミュレーションするために、請求項１に記載の方法を実施する工程であって、
前記追加的な可能な結果として生じる特別注文の毛髪色それぞれが、
前記結果として生じそうな特別注文の毛髪色を表す、対応する視覚映像と、
前記混合物に添加するための前記第１、第２、及び任意選択の追加的な色合い成分のそれぞれの入力量と、
を有する工程、
（ｆ）任意選択で、
前記追加的な可能な結果として生じる特別注文の毛髪色のそれぞれに対応する、前記結果として生じそうな特別注文の毛髪色を表す視覚映像と、
前記追加的な可能な結果として生じる特別注文の毛髪色のそれぞれに対応する前記混合物に添加するための、前記第１、第２、及び任意選択の追加的色合い成分のそれぞれの入力量と、
を保存する工程、
（ｇ）視覚的比較のために、前記１、第２、及び任意選択の追加的な、可能な結果として生じる特別注文の毛髪色それぞれに対応する、前記結果として生じそうな特別注文の毛髪色を表す前記格視覚映像のそれぞれを表示する工程、及び
（ｈ）前記結果として生じる所望の特別注文の毛髪色を選択するために、前記１、第２、及び任意選択の追加的な、可能な結果として生じる特別注文の毛髪色それぞれに対応する、前記結果として生じそうな特別注文の毛髪色を表す表示された視覚映像の１つに対する優先傾向を示す工程
を含む、方法。
【請求項１２】
視覚的比較のために表示する前記工程（ｇ）が、前記第１、第２、及び任意選択の追加的な、可能な結果として生じる特別注文の毛髪色それぞれに対応する、前記結果として生じそうな特別注文の毛髪色を表す前記視覚映像のそれぞれを同時に表示することを含む、請求項１１に記載の方法。
【請求項１３】
視覚的比較のために表示する前記工程（ｇ）が、前記毛髪の前記初期毛髪色を表す視覚映像を表示することを更に含む、請求項１１に記載の方法。
【請求項１４】
特別注文の染毛組成物を配合する方法であって、
前記特別注文の染毛組成物は、結果として生じる所望の特別注文の毛髪色を毛髪に付与し、
前記染毛組成物は少なくとも２つの異なる色合い成分の混合物を含み、
前記少なくとも２つの異なる色合い成分の混合物は、混合可能な異なる色合い成分の規定された集合から選択される、
方法において、
前記方法は、
（ａ）結果として生じる所望の特別注文の毛髪色をシミュレーションするために、請求項１に記載の方法を実施する工程であって、前記結果として生じる所望の特別注文の毛髪色は、前記混合物に添加するための、前記第１、第２、及び任意選択の追加的な色合い成分の、それぞれに対応する入力量を有する、工程、
（ｂ）前記混合物を収容する混合容器を提供する工程、
（ｃ）前記結果として生じる所望の特別注文の毛髪色に対応する、前記第１、第２、及び任意選択の追加的な色合い成分それぞれの入力量にしたがって、前記規定された集合から選択された、前記第１、第２、及び任意選択の追加的な色合い成分それぞれの量を、前記混合容器に分配する工程、及び
（ｄ）前記特別注文の染毛組成物を配合するために、前記第１、第２、及び任意選択の追加的な色合い成分の分配された量を混合する工程
を含む、方法。
【請求項１５】
特別注文の染毛組成物を配合する方法であって、
前記特別注文の染毛組成物は、結果として生じる所望の特別注文の毛髪色を毛髪に付与し、
前記特別注文の染毛成分は少なくとも２つの異なる色合い成分の混合物を含み、
前記少なくとも２つの異なる色合い成分の混合物は、混合可能な異なる色合い成分の規定された集合から選択される
方法において、
前記方法は、
（ａ）結果として生じる所望の特別注文の毛髪色を選択するために、請求項１１に記載の方法を実施する工程であって、前記結果として生じる所望の特別注文の毛髪色は、前記混合物に添加するための、前記第１、第２、及び任意選択の追加的な色合い成分それぞれに対応する入力され又保存された量を有する、工程、
（ｂ）前記混合物を収容するための混合容器を提供する工程、
（ｃ）前記結果として生じる所望の特別注文の毛髪色に対応する、前記第１、第２、及び任意選択の追加的な色合い成分それぞれの入力され又保存された前記量にしたがって、前記規定された集合から選択された前記第１、第２、及び任意選択の追加的な、色合い成分それぞれの量を前記混合容器に分配する工程、及び
（ｄ）前記特別注文の染毛組成物を配合するために、前記第１、第２、及び任意選択の追加的な色合い成分それぞれの分配された量を混合する工程
を含む、方法。
【請求項１６】
異なる色合い成分の前記規定された集合のそれぞれが顆粒の形態であり、
分配の前記工程（ｃ）が複数の薬品注入装置を使用して実施され、
前記複数の薬品注入装置のそれぞれが前記異なる色合い組成物の１つに対応し、
前記薬品注入装置のそれぞれが、
（ｉ）前記顆粒を収容する貯蔵容器、
（ｉｉ）前記貯蔵容器に接続され、分配開口部を有する分配ヘッド、及び
（ｉｉｉ）前記貯蔵容器から分配され、前記分配開口部を通過する前記顆粒の分配を制御する前記分配ヘッド内の駆動手段、
を含む、請求項１４又は１５のいずれか一項に記載の方法。
【請求項１７】
分配の前記工程（ｃ）及び混合の前記工程（ｄ）の少なくとも一方が、毛髪を染める顧客の目視観測内で前記プロのカラリストによって行われる、請求項１４又は１５のいずれか一項に記載の方法。
【請求項１８】
分配の前記工程（ｃ）及び混合の前記工程（ｄ）の少なくとも一方が、毛髪を染める顧客が座っている椅子の物理的に近傍の、前記ヘアサロンの領域内の持ち運びのできる染毛サービスカートにおいて、前記プロのカラリストによって実施される、請求項１７に記載の方法。
【請求項１９】
前記規定された集合が複数の異なる色合い成分を含み、前記複数の異なる色合い成分は、前記混合物に添加されると、前記結果として生じる所望の特別注文の毛髪色の色調に影響を与える、請求項１〜１８のいずれか一項に記載の方法。
【請求項２０】
前記規定された集合が少なくとも１つの色合い成分を含み、前記少なくとも１つの色合い成分は、アッシュ、ローズ、金、オレンジ、赤、紫、及び青から成る群から選択される色に対応するカラーサークル上の１点を表す色調を提供するためのものである、請求項１〜１９のいずれか一項に記載の方法。
【請求項２１】
前記規定された集合が少なくとも１つの色合い成分を更に含み、前記少なくとも１つの色合い成分は、前記混合物に添加されると、前記結果として生じる所望の特別注文の毛髪色の色の深みに影響を与える、請求項１〜２０のいずれか一項に記載の方法。
【請求項２２】
前記規定された集合が、
（ａ）アッシュの色調を提供する色合い成分、
（ｂ）ローズの色調を提供する色合い成分、
（ｃ）金の色調を提供する色合い成分、
（ｄ）オレンジの色調を提供する色合い成分、
（ｅ）赤の色調を提供する色合い成分、
（ｆ）紫の色調を提供する色合い成分、
（ｇ）青の色調を提供する色合い成分、及び
（ｈ）（ａ）〜（ｇ）の色調の任意の１つの深さ又はこれらの任意の混合物の色調の深さを調節するための色合い成分、
を含む、請求項１〜２１のいずれか一項に記載の方法。
【請求項２３】
異なる色合い成分の前記規定された集合のそれぞれが、クリーム、粉末、及び顆粒から成る群から選択される１形態であって、望ましくは顆粒の形態である、請求項１〜２２のいずれか一項に記載の方法。
【発明の詳細な説明】
【技術分野】
【０００１】
本発明は、結果として生じる特別注文の毛髪色をシミュレーションする方法、結果として生じる所望の特別注文の毛髪色を選択する方法、特別注文の染毛組成物を配合する方法であって、結果として生じる所望の特別注文の毛髪色を毛髪に付与する方法に関する。本発明はまた、かかる方法を実施する手段に関し、関連するシステム及び染毛製品を含む。
【背景技術】
【０００２】
ヒトの毛髪の色を染料の適用によって変えることは既知である。一般に、自分の毛髪の色を変えたいと望むヒトには２つの選択肢がある。彼らは家庭で毛髪を染色するための小売の毛髪着色キットを購入することを選択することができる。かかる小売の染毛キットは、ブランド及び色合いの各種取り合わせで入手可能な、典型的には手ごろな価格及び合理的な時間量で、好適な染毛又は漂白性能を提供する。しかしながら、一部の消費者は「画一的」でなく、代わりに彼らの個々の要望により特別注文の毛髪着色製品で自分の毛髪の色を変えることを好む。従って、別の方法として、専門的な染毛トリートメントを求めてヘアサロンのプロのカラリストのところに行くことを選択する場合がある。小売の染毛キットを使用して毛髪の色を変えるよりも、常に高価でしばしばより時間がかかることになるが、プロのカラリストは、顧客に個人的な助言を提供することができ、並びに、顧客の特別注文の毛髪の色を付与するための、より一層注文に応じた又は個別の、染毛を創作することができる。
【０００３】
ほとんどのプロのカラリストは、様々なブランド又は製品ラインナップを含む無数の異なるプロ仕様の染毛製品を顧客の毛髪の使用に用意している。個人のブランド又は製品ラインナップの中には、しばしば幾多の色合いが存在する。この多様性が、プロのカラリストに、彼らの専門的知識及び美的創造性を用いて、特定の顧客に特別注文の染毛組成物を提供するために、１つの色合いを選択させるか、又はいくつかの異なる色合いを共に混合させることになる。かかる多様性は、しかしながら複雑さを生じる場合があり、かかる個人用のヘアカラー組成物の配合において誤りを犯す可能性を増加させることになる。言い換えると、いかなるものであれかかる誤りは、特定の顧客の理想とはいえない染毛組成物を提供し、結果的に、顧客に不満な思いをさせてしまうことになり得る。
【０００４】
習慣として、プロのカラリストは、通常、顧客の所望の結果として生じる毛髪色を顧客と話し合う。入手可能なプロ仕様の染毛製品の種類を考慮して、プロのカラリストは、恐らくは入手可能なプロ仕様の染毛製品の製造元から提供された説明書と共に、彼らの専門家としての訓練と判断力を用いて適切な製品を混合し、結果として生じる所望の毛髪色の提供に確かな染毛組成物を配合する。そのようにして、染毛組成物が顧客の毛髪に適用される。上述したような複雑さ及びプロセスに付随する誤りの可能性を前提とすると、特定の特別注文の染毛組成物を得るために必要な配合プロセスを試験又は実験することがプロのカラリストにとっては有利である。しかしながら、少なくともいくつかの理由からプロのカラリストにとって、これは現実的ではない。例えば、「試験用」組成物を混合又は配合するために入手可能なプロ仕様の染毛製品を使用することは多大な時間を必要とする（特に、顧客がすでにサロンで待っている場合）だけではなく、試用する製品の無駄使いでもあると考えられる。
【０００５】
更に、実際問題として、プロのカラリストは、かかる特別注文の染毛製品の混合及び配合を、顧客から離れた見えないサロンの空間や部屋で行っている。現在行われている混合及び配合の方法、及びこれらの方法に付随する複雑さと乱雑状態を前提とすると、これは好ましいのかもしれないが、プロのサロンのますます増える多くの顧客又は消費者は、より多くの個人的な助言及びサービスを彼ら専門のカラリストから受けることを欲していると考えられている。かかるサービスのレベルを達成するためには、全工程において顧客が自分をパートナーのように感じるように、顧客とプロのカラリストとの交流を最大化する必要がある。従って、プロのカラリストが顧客の面前で特別注文の染毛組成物を混合又は配合することは有利であるだろう。
【０００６】
このため、単純、正確で、又信頼できる、更に又、組成物を配合する際に専門性及び芸術的な創造性を用いるプロのカラリストの能力もまた維持する、特別注文の染毛組成物の配合方法、に対する必要性が存在している。更に、かかる方法は、プロのカラリストと顧客との交流を増加させることを可能にすべきであり、そうすれば特別注文の染毛プロセスにおいて顧客はパートナーであるという感覚を一層感じることができる。特別注文の染毛組成物の配合、及び、特別注文の染毛組成物により顧客の毛髪に付与される結果として生じる所望の特別注文の毛髪色を試験又はシミュレーションできるようにする方法を求める更なる必要性が存在する。有利には、かかる方法は、比較的高価なプロ仕様染毛製品を混乱させず浪費せずに、迅速で容易に実施される必要がある。
【発明の開示】
【発明が解決しようとする課題】
【０００７】
本発明の方法及びかかる方法を実施するための手段は、関連するシステム及び染毛製品を含めて、上記されたこれらの必要性に対処している。
【課題を解決するための手段】
【０００８】
本発明は、結果として生じる特別注文の毛髪色をシミュレーションする方法、特別注文の染毛組成物が、可能な結果として生じる特別注文の毛髪色の中から結果として生じる所望の特別注文の毛髪色を選択する方法と、特別注文の染毛組成物が、結果として生じる所望の特別注文の毛髪色を毛髪に付与するように配合する方法と、に関する。本発明はまた、かかる方法を実施する手段に関し、関連システム及び染毛製品を含む。
【０００９】
第１の態様において、本発明は、混合可能な異なる色合い成分の規定された集合から選択された、少なくとも２つの異なる色合い成分の混合物から配合された特別注文の染毛組成物によって毛髪に付与される、結果として生じる特別注文の毛髪色をシミュレーションする方法に関する。かかる方法は次の工程を含む：（ａ）前記毛髪の初期毛髪色をコンピュータシステムに入力する工程、（ｂ）前記混合物に添加するための、前記規定された集合から選択される第１の色合い成分の量を、前記コンピュータシステムに入力する工程、（ｃ）前記混合物に添加するための、前記規定された集合から選択される第２の色合い成分の量を前記コンピュータシステムに入力する工程、（ｄ）任意選択で、前記混合物に添加するための、１以上の追加の色合い成分の量を前記コンピュータシステムに入力する工程であって、前記追加の色合い成分のそれぞれが前記規定された集合から選択される工程、（ｅ）前記毛髪の入力された前記初期毛髪色と、前記混合物に添加するための前記第１、第２、及び任意選択の追加の色合い各成分の入力された前記量とに基づき、結果として生じそうな求められる特別注文の毛髪色を、前記コンピュータシステムを用いて予測する工程、（ｆ）前記結果として生じる特別注文の毛髪色を表す視覚映像を、前記コンピュータシステムを用いて生成する工程、及び（ｇ）前記結果として生じる特別注文の毛髪色をシミュレーションするために、前記結果として生じそうな特別注文の毛髪色を表す前記視覚映像を表示する工程。
【００１０】
第２の態様において、本発明は、混合可能な異なる色合い成分の規定された集合から選択される、少なくとも２つの異なる色合い成分の混合物から配合され、特別注文の染毛組成物により毛髪に付与される所望の結果として生じる特別注文の毛髪色を選択する方法に関し、前記方法は次の工程を含む：（ａ）第１の結果として生じる特別注文の毛髪色をシミュレーションするために、本発明の前記第１の態様による方法を実施する工程であって、前記結果として生じる特別注文の毛髪色が前記結果として生じそうな特別注文の毛髪色を表す対応する視覚映像と、前記混合物に添加するための、前記第１、第２、及び任意選択の追加的な色合い成分のそれぞれの入力量と、を有する工程、（ｂ）前記第１の可能な結果として生じる特別注文の毛髪色に対応する、前記結果として生じそうな特別注文の毛髪色を表す視覚映像と、前記第１の可能な結果として生じる特別注文の毛髪色に対応する前記混合物に添加するための前記第１、第２、及び任意選択の追加的な色合いのそれぞれの入力量と、を保存する工程、（ｃ）前記第２の可能な結果として生じる特別注文の毛髪色をシミュレーションするために、本発明の前記第１の態様による方法を実施する工程であって、前記可能な結果として生じる特別注文の毛髪色が、前記可能な結果として生じそうな特別注文の毛髪色を表す対応する視覚映像と、前記混合物に添加するための、前記第１、第２、及び任意選択の追加的色合い成分の入力量と、を有する工程、（ｄ）前記第２の可能な結果として生じる特別注文の毛髪色に対応する前記結果として生じそうな特別注文の毛髪色を表す前記視覚映像と、前記第２の可能な結果として生じる特別注文の毛髪色に対応する前記混合物に添加するための、前記第１、第２、及び任意選択の追加的な色合い成分のそれぞれの入力量と、を保存する工程、（ｅ）任意選択で、１以上の追加的な可能な結果として生じる特別注文の毛髪色をシミュレーションするための、本発明の前記第１の態様による方法を実施する工程であって、追加的な可能な結果として生じる特別注文の毛髪色のそれぞれが、結果として生じそうな特別注文の毛髪色を表す対応する視覚映像と、前記混合物に添加するための前記第１、第２、及び任意選択の追加的な色合い成分のそれぞれの入力量と、を有する、工程、（ｆ）任意選択の追加的な、可能な結果として生じる特別注文の毛髪色のそれぞれに対応する結果として生じそうな特別注文の毛髪色を表す視覚映像と、前記追加的な可能な結果として生じる特別注文の毛髪色のそれぞれに対応する前記混合物に添加するための第１、第２、及び任意選択の追加的な、色合い成分のそれぞれの入力量、を保存する工程、（ｇ）視覚的比較のために、前記１、第２、及び任意選択の追加的な、可能な結果として生じる特別注文の毛髪色それぞれに対応する、前記結果として生じそうな特別注文の毛髪色を表す前記格視覚映像のそれぞれを表示する工程、及び（ｈ）前記結果として生じる所望の特別注文の毛髪色を選択するために、前記１、第２、及び任意選択の追加的な、可能な結果として生じる特別注文の毛髪色それぞれに対応する、前記結果として生じそうな特別注文の毛髪色を表す、表示された視覚映像の１つに対する優先傾向を示す工程。
【００１１】
第３の態様において、本発明は、毛髪に所望の結果として生じそうな特別注文の毛髪色を付与し、混合可能な異なる色合い成分の規定された集合から三択された、少なくとも２つの異なる色合い成分の混合物を含む、特別注文の染毛組成物を配合する方法に関する。かかる方法の一実施形態は次の工程を含む：（ａ）所望の結果として生じる特別注文の毛髪色をシミュレーションするために本発明の第１の態様の方法を実施する工程であって、前記所望の結果として生じる特別注文の毛髪色は、前記混合物に添加するための第１、第２、及び任意選択の追加的な色合い成分のそれぞれの対応する入力量を有する、工程、（ｂ）前記混合物を収容する混合容器を提供する工程、（ｃ）記所望の結果として生じる特別注文の毛髪色に対応する前記第１、前第２、及び任意選択の追加的色合い成分のそれぞれの入力量にしたがって、前記規定された集合から選択された、前記第１、第２、及び任意選択の追加的な色合い成分のそれぞれの量を前記混合容器に分配する工程、及び（ｄ）前記特別注文の染毛組成物を配合するために、前記第１、第２、及び任意選択の追加的な色合い成分の分配された量を混合する工程。
【００１２】
本発明の前記第３の態様による方法の第２の実施形態は次の工程を含む：（ａ）所望の結果として生じる特別注文の毛髪色を選択するために本発明の前記第２の態様による方法を実施する工程であって、前記所望の結果として生じる特別注文の毛髪色は、前記混合物に添加する前記第１、第２、及び任意選択の追加的色合い成分のそれぞれに対応する入力および保存された量を有する、工程、（ｂ）前記混合物を収容するための混合容器を提供する工程、（ｃ）前記所望の結果として生じる特別注文の毛髪色に対応する、前記第１、第２、及び任意選択の追加的色合い成分のそれぞれに対応する入力および保存された量にしたがって、前記規定された集合から選択された前記第１、第２、及び任意選択の追加的色合い成分のそれぞれの量を前記混合容器に分配する工程、及び（ｄ）前記特別注文の染毛組成物を配合するために、前記第１、第２、及び任意選択の追加的色合い成分のそれぞれの分配された量を混合する工程。
【００１３】
本発明のさらなる態様は、上述したようなかかる方法を実施する手段に関し、関連するシステム及び染毛製品を含み、下記の本発明の方法の文脈において更に説明する。
【発明を実施するための最良の形態】
【００１４】
本明細書は、本発明を特に指摘し、明確に請求する請求項をもって結論とするが、本発明は以下の説明からよりよく理解されるものと信じられる。
本明細書で使用する時、用語「毛髪」は、例えば人の生体上、又は例えばかつら、ヘアピースの中の非生体上のケラチン性繊維、若しくは非生体ケラチン性繊維のその他の集合、を言う。哺乳類、好ましくはヒトの毛髪が好ましい。特に、毛髪、ウール、毛皮、及びその他のケラチン性繊維は、本明細書に記載の毛髪色回復製品によるトリートメントに好適な基材である。
本明細書で使用する時、用語「特別注文の（custom）」は、「毛髪色」又は「染毛組成物」等などの用語を修飾して使用される時、個人的な注文又は要望にしたがって作製されたこと、若しくはなされたことを意味する。かかる定義に含まれもるのは、ヘアサロンで１以上の特定の顧客のためにプロのカラリストによって混合及び配合された染毛組成物、並びにかかる組成物によって付与された毛髪色である。
【００１５】
本発明の方法は上記の工程を含む。これらの各方法及びそれらのそれぞれの工程、並びに、好ましい又は追加的な要素、及び本発明のその他の態様が、以下に詳細に説明される。
Ａ．結果として生じる特別注文の毛髪色のシミュレーション
本発明の一実施形態は、特別注文の染毛組成物によって付与される、結果として生じる特別注文の毛髪色のシミュレーション方法に関する。典型的には、かかる特別注文の染毛組成物は、混合に使用可能な異なる色合いの規定された集合から選択された少なくとも２種類の異なる色合いの成分の混合物から配合される。これらの異なる色合いの成分には、例えば、個別にパッケージされたプロ仕様の染毛組成物が含まれ、当該組成物のそれぞれは異なる色調を提供する。多くの場合、異なる色合いの成分は規定された集合の１つの製造元から供給され、すべての当該成分は互いに混合して、染毛の色合いのパレット内で追加の又は異なる色合いの染毛組成物を得るのに、好適なように設計されている。プロのカラリストに実質上配合させ、及び様々な色の配合を実験させることになる、結果として生じる特別注文の毛髪色のシミュレーションは、プロのカラリストが、所与の規定された集合の異なる色合いの組成物の混合及び配合の可能性を理解することを、促進するのに有用である。
【００１６】
本発明の方法によると、結果として生じる特別注文の毛髪色のシミュレーションはいくつかの工程を含む。まず、ユーザー、例えばプロのカラリスト又はヘアサロンの顧客が、コンピュータシステムに染めるべき毛髪の初期毛髪色を入力する。初期毛髪色が可能な初期毛髪色の所定された群から選択され、ユーザーが選択するようにユーザーに提示される。そのような、可能性のある初期毛髪色の所定の群は、異なる色の毛髪の複数の視覚映像としてユーザーに提示されてもよく、又は異なる可能性のある毛髪色の書かれたリストとしてユーザーに提示されてもよい。本発明の一実施形態において、ユーザーは、明るいブロンドの毛髪、暗いブロンドの毛髪、及びミディアムブラウンの毛髪を表す視覚映像を含む異なる色の複数の視覚映像を提示される。ダークブラウン、黒、赤褐色、及び赤などの追加の色の毛髪の視覚映像もまた様々な組み合わせで使用されてもよい。
【００１７】
本発明の一実施形態において、当該方法はまた染めるべき毛髪の毛髪種類をコンピュータシステムに入力する工程を含む。可能な初期毛髪色と同様に、毛髪種類は所定の毛髪種類の群から選択されてもよく、ユーザーの選択のためにユーザーに提示される。可能な毛髪種類の所定された群は、異なる種類の毛髪の複数の視覚映像としてユーザーに提示されてもよく、又は可能な異なる毛髪種類の書かれたリストとしてユーザーに提示されてもよい。本発明の一実施形態において、ユーザーは、ストレートヘア、ウェーブのかかった髪及び縮毛を表す視覚映像を含む異なる色の複数の視覚映像を提示される。
【００１８】
次に、ユーザーは、混合物に添加する第１の色合い成分の量、混合物に添加する第２の色合い成分の量、及び任意で、混合物に添加する１以上の更なる色合い成分をコンピュータシステムに入力する。これら異なる色合い成分のそれぞれの量は、質量又は容量、及び例えばグラムなどの好適な測定単位、で表されてもよいユーザーが入力する各色合い成分の量は、設定された範囲内の量、例えば、０グラム〜６グラムのように限定されてもよい。或いは、入力された量は、任意の範囲に制限されなくてもよい。
【００１９】
本発明の全方法を使用するために、任意の好適なコンピュータシステムを使用することができ、適切にプログラムされたソフトのアプリケーションがインストールされた、市販のデスクトップ、ポータブル、又は手持ち式パーソナルコンピュータが挙げられる。或いは、好適なコンピュータシステムを具現化する特別注文の設計の装置を使用してもよい。適切にプログラムされたソフトのアプリケーションを、コンパクトディスク又はその他の電子記憶装置を介してユーザーに分配してもよく、又はインターネットを介してウェブサイトからダウンロードできるようにしてもよい。初期毛髪色、毛髪種類、及び第１、第２、及び任意の追加的色合い成分に対応する情報の入力は、コンピュータシステムと適合性のある任意の好適な手段によって実施されてもよい。例えば、当該情報はキーボード、マウス、又はタッチスクリーンを使用して入力されてもよい。
【００２０】
第１、第２、及び任意選択の追加的色合い成分のそれぞれは、規定された集合から選択される。規定された集合は、当該混合物に添加されると、結果として生じる特別注文の毛髪色の色調に影響を与える複数の異なる色合い成分を含む。規定された集合はまた、当該混合物に添加されると結果として生じる特別注文の毛髪色の色の深みに影響を与える少なくとも１つの色合い成分を更に含みうる。
【００２１】
本発明の一実施形態において、当該規定された集合は、アッシュ、ローズ、金、オレンジ、赤、紫、及び青から成る群から選択される色に対応するカラーサークル上の点を表す色調を提供するための、少なくとも１つの色合い成分を含む。本発明の別の実施形態において、規定された集合は、（ａ）アッシュの色調を提供する色合い成分、（ｂ）ローズの色調を提供する色合い成分、（ｃ）金の色調を提供する色合い成分、（ｄ）オレンジの色調を提供する色合い成分、（ｅ）赤の色調を提供する色合い成分、（ｆ）紫の色調を提供する色合い成分、（ｇ）青の色調を提供する色合い成分、（ｈ）（ａ）〜（ｇ）の色調の任意の１つ又はこれらの任意の混合物の色調の深さを調節するための色合い成分、を含む。
【００２２】
本発明の方法は、次に、コンピュータシステムを用いて、入力された毛髪の初期毛髪色及び混合物に添加するための第１、第２、及び任意選択の追加的色合い成分の入力量に基づき、予測される結果として生じる特別注文の毛髪色を予測する工程を含む。コンピュータシステムは、入力された情報に基づいて結果として生じそうな特別注文の毛髪色を予測するために、当業者によって適切にプログラムされてもよい。結果として生じる毛髪色を予測するかかる方法のさらなる説明は、例えば、米国特許第６９８０８８８号及び同第６７０７９２９号に見出すことができる。
【００２３】
本発明の方法によると、次の工程は、コンピュータシステムを用いて、結果として生じそうな特別注文の毛髪色を表す視覚映像を生成する工程、及び、次に、結果として生じる特別注文の毛髪色をシミュレーションするために、結果として生じそうな特別注文の毛髪色を表す視覚映像を表示する工程を含む。上記の色を予測する工程と同様に、コンピュータシステムは、特別注文の毛髪色の視覚映像を生成するために当業者によって適切にプログラムされてもよい。当該視覚映像はコンピュータのモニタ又はビデオディスプレイスクリーン或いはその他の好適な視覚媒体に表示することができる。本発明の一実施形態において、今記載した表示工程は、カラーサークルの視覚映像を表示することを含み、結果として生じそうな特別注文の毛髪色は当該カラーサークル内の１点として表す。本発明の別の実施形態において、当該表示工程は、結果として生じそうな特別注文の毛髪色である色を有する毛髪の視覚映像を表示することを含む。
【００２４】
本発明の別の態様によると、本質的に逆の方法もまた実施され得る。入力された混合物に添加する異なる色合い成分の量に基づいて結果として生じる特別注文の毛髪色をシミュレーションする代わりに、特定の得られる特別注文の毛髪色を提供するために必要な異なる色合い成分のそれぞれの量を、所望の結果として生じる特別注文の毛髪色の値の入力に基づいて生成することが可能である。所望の結果として生じる特別注文の毛髪色に対応する混合処方を提供するかかる方法は、コンピュータシステムに所望の結果として生じる特別注文の毛髪色を入力する工程、及びコンピュータシステムを使用して必要な色合い成分のそれぞれの量を予測する工程を含む。
【００２５】
Ｂ．所望の結果として生じる特別注文の毛髪色の選択
本発明の別の実施形態は、上記の方法と同様に、混合可能な異なる色合い成分の規定された集合から選択される少なくとも２つの異なる色合い成分を混合することで配合される特別注文の染毛組成物によって毛髪に付与された、所望の結果として生じる特別注文の毛髪色の選択方法に関する。この方法は、例えば、プロのカラリストによって、ヘアサロンの顧客によって、又はプロのカラリストとヘアサロンの顧客の両方によって実施されることができる。
【００２６】
この方法の第１の工程は、可能な結果として生じる特別注文の第１の毛髪色をシミュレーションするために、上記の本発明の第１の態様にしたがってシミュレーションする方法を実施することを含む。本発明の第１の態様の方法でシミュレーションして可能な結果として生じる特別注文の第１の毛髪色は、結果として生じそうな特別注文の毛髪色を表す対応する視覚映像と、入力された混合物に添加するための第１、第２、及び任意選択の追加的色合い成分のそれぞれの入力量と、を有する
この方法の次の工程は、可能な結果として生じる特別注文の第１の毛髪色に対応する、結果として生じそうな特別注文の毛髪色を表す視覚映像と、可能な結果として生じる特別注文の第１の毛髪色に対応するインプットされた混合物に添加するための第１、第２、及び任意選択の追加的色合い成分を保存することを含む。この情報は本発明のコンピュータシステムに電子的に保存されてもよい。或いは、この情報のハードコピーを作成して保存工程を実施するために保持してもよい。
【００２７】
本発明のこの方法によると、次の工程は、少なくとも可能な結果として生じる特別注文の第２の毛髪色をシミュレーションする及び保存する第１の２つの工程を有効に繰り返す工程を含み、可能な第２の毛髪色は続いて結果として生じる第１の特別注文の毛髪色と比較される。より詳細には、本発明の方法は、可能な結果として生じる特別注文の第２の毛髪色をシミュレーションするために、上記のように本発明の第１の態様による方法を実施することを含む。可能な結果として生じる特別注文の第１の毛髪色と同様に、可能な結果として生じる特別注文の第２の毛髪色は、結果として生じそうな特別注文の毛髪色及び混合物に添加するための第１、第２、及び任意選択の追加的色合い成分のそれぞれの入力量を表す対応する視覚映像を有する。続いて、この工程に続いて、可能な結果として生じる特別注文の第２の毛髪色に対応する結果として生じそうな特別注文の毛髪色と、可能な結果として生じる特別注文の第２の毛髪色の対応する当該混合物に添加するための第１、第２、及び任意選択の追加的色合い成分の対応する入力量、とを表す視覚映像が保存される。
【００２８】
この方法の目的は可能な結果として生じる特別注文の毛髪色の複数の毛髪色の比較を可能にすることであるので、第１の２つの工程は可能な結果として生じる特別注文の毛髪色の第２の毛髪色にのみ繰り返されてもよく、又は、ユーザーの所望通りに、１以上の可能な結果として生じる特別注文の毛髪色のために繰り返されてもよい。従って、本発明の方法は、上記の本発明の第１の態様の方法を、結果として生じる特別注文の可能な１以上の追加の毛髪色をシミュレーションするために任意で実施する工程を含み、追加の可能な結果として生じる特別注文の毛髪色は、結果として生じそうな特別注文の毛髪色を表す対応する視覚映像と、混合物に添加するための第１、第２、及び任意選択の追加的色合い成分のそれぞれに対応する入力量と、を有する。次に、本方法はまた、可能な結果として生じそうな追加の特別注文の毛髪色と、可能な結果として生じそうな追加の特別注文の毛髪色のそれぞれに対応する当該混合物に添加するための、第１、第２、及び任意選択の追加的色合い成分のそれぞれの入力量、のそれぞれに対応するべく、特別注文の毛髪色を表す視覚映像を、任意選択で保存する工程を含む。
【００２９】
一旦所望の可能な結果として生じる特別注文の毛髪色の数がシミュレーションされ、それぞれの対応する情報が保存されると、本発明の方法は、次に、それぞれ１、第２、及び任意の追加的な結果として生じる特別注文の毛髪色の候補に対応する結果として生じそうな特別注文の毛髪色を表す視覚映像の、視覚的比較を表示する工程、を含む。本発明の第１の態様の方法の表示工程と同様に、今記載した方法で生成され及び保存された視覚映像のそれぞれは、コンピュータのモニタ又はビデオディスプレースクリーン或いはその他の好適な視覚媒体に表示することができる。一実施形態において、この工程は、可能な結果として生じる特別注文の毛髪色を表す各視覚映像を、特定の可能な結果として生じる特別注文の毛髪色を有する毛髪の視覚映像として表示することを含む。可能な異なる結果として生じる特別注文の毛髪色の比較を行うために、視覚映像を同時に、例えば、同時に１つのコンピュータスクリーンに表示することが可能である。或いは、視覚映像は順番に、例えば、スライドショー形式で表示することが可能である。更に、染めるべき毛髪の初期毛髪色を表す視覚映像は、全ての可能な結果として生じる特別注文の毛髪色との比較も可能なように表示することができる。
【００３０】
可能な結果として生じる特別注文の毛髪色が表示された後、本発明の方法は、結果として生じる特別注文の毛髪色を選択するため、それぞれ第１、第２、及び任意選択の可能な追加的な結果として生じる特別注文毛髪色に対応する結果として生じそうな特別注文の毛髪色を表す、表示された視覚映像の１つに対する優先傾向を示す工程を含む。優先傾向は、例えば、かかる情報をコンピュータシステムに入力することにより示されてもよく、次に保存又はアーカイブ保管することができる。或いは、優先傾向は、単に表示された視覚映像を物理的にモニタすることにより、及び／又は、かかる情報を口伝えすることにより、示されてもよい。
【００３１】
Ｃ．特別注文の染毛組成物の配合
本発明の第３の態様は、特別注文の染毛組成物の配合方法に関する。この特別注文の染毛組成物は毛髪に所望の特別注文の毛髪色を付与し、混合可能な異なる色合い成分の規定された集合から選択される、少なくとも２つの異なる色合いの混合物を含む。本発明のこの態様の方法は、ヘアサロンのプロのカラリストによって実施され得る。これらの方法は、特別注文の染毛組成物の単純、正確、及び信頼性ある混合並びに配合を可能にする一方、プロのカラリストが、組成物を配合する際に、彼らの専門的知識及び美的創造性を用いることを可能にする。更に、これら方法の実施形態は、プロのカラリストと顧客との間の交流を多くすることを可能にするために実施することができ、染毛プロセスにおいて顧客はよりパートナーであるという感覚を感じることができる。
【００３２】
一実施形態において、本発明の方法は、上記のように、所望の結果として生じる特別注文の毛髪色をシミュレーションするために、本発明の第１の態様による方法を実施する第１の工程を含む。所望の結果として生じる特別注文の毛髪色を最初にシミュレーションすることにより、プロのカラリストは、彼らが混合物に添加する異なる色合いの組成物の適切な混合比を有するように保証することが可能である。更に、プロのカラリスト及びヘアサロンの顧客の両方が、所望の結果として生じる特別注文の毛髪色が、シミュレーションに対応する混合物に従って作製された特別注文の染毛組成物によって真に付与されるべきものであることを検証することができる。この実施形態の第１の工程において、所望の結果として生じる特別注文の毛髪色は、本発明の第１の態様の方法でシミュレーションされたように、混合物に添加するための第１、第２、及び任意選択の追加的色合い成分のそれぞれに対応する入力量を有する。
【００３３】
第２の実施形態において、本発明の方法は、所望の結果として生じる特別注文の毛髪色を選択するために、本発明の第２の態様の方法を実施する第１の工程を含む。本発明のこの実施形態は、プロのカラリスト及び／又はヘアサロンの顧客が結果として生じる特別注文の毛髪色が望ましいかに確証が持てない場合に有利である。任意の染毛組成物が配合される前に、比較の目的でいくつかの可能な結果として生じる特別注文の毛髪色をシミュレーションすることにより、顧客が最も所望の結果として生じる毛髪色を選択する可能性を高める。順に、適切な染毛組成物が最終的に配合される。第２の実施形態の第１の工程において、所望の結果として生じる特別注文の毛髪色は、混合物に添加するための第１、第２、及び任意選択の追加的色合い成分のそれぞれの入力量及び保存量を有する。
【００３４】
全ての実施形態によると、本発明のこの態様の方法は、続いて、当該混合物を収容する混合用容器を提供する工程、及び規定された集合から選択された第１、第２、及び任意選択の追加的色合い成分のそれぞれの量を当該混合容器に分配する工程を含む。異なる色合い組成物を収容し、及び組成物を混合することができる、任意の混合容器が、本明細書で用いるのに好適である。これら組成物のそれぞれの分配量は、所望の結果として生じる特別注文の毛髪色に対応する第１、第２、及び任意選択の追加的色合い成分それぞれの入力された（及び、この方法の第２の実施形態においては、保存された）量の通りである。
【００３５】
本発明の第１の態様に関連して上述したように、第１、第２、及び任意選択の追加的色合い成分のそれぞれは当該規定された集合から選択される。規定された集合は、当該混合物に添加される時、結果として生じる特別注文の毛髪色の色調に影響を与える複数の異なる色合いの成分を含む。規定された集合はまた、当該混合物に添加される時、結果として生じる特別注文の毛髪色の色の深みに影響を与える１以上の異なる色合いの成分を更に含む。
【００３６】
本発明の一実施形態において、当該規定された集合は、アッシュ、ローズ、金、オレンジ、赤、紫、及び青から成る群から選択される色に対応するカラーサークル上の１点を表す色調を提供するための、少なくとも１つの色合い成分を含む。本発明の別の実施態様において、当該規定された集合は、（ａ）アッシュの色調を提供する色合い成分、（ｂ）ローズの色調を提供する色合い成分、（ｃ）金の色調を提供する色合い成分、（ｄ）オレンジの色調を提供する色合い成分、（ｅ）赤の色調を提供する色合い成分、（ｆ）紫の色調を提供する色合い成分、（ｇ）青の色調を提供する色合い成分、（ｈ）（ａ）〜（ｇ）の色調の任意の１つ、又はこれらの任意の混合物の１色調、の深さを調節するための色合い成分を含む。
【００３７】
本発明のさらなる実施形態において、規定された集合の色合い組成物のそれぞれは、クリーム、粉末、及び顆粒から成る群から選択される形状である。
【００３８】
本発明の更に別の実施形態において、規定された集合の色合い組成物のそれぞれは顆粒状であり、複数の薬品注入装置を使用して分配工程が実施される。この複数の薬品注入装置における各装置は異なる色合い組成物の１つに対応する。更に、各薬品注入装置は、（ｉ）顆粒を収容する貯蔵容器、（ｉｉ）当該貯蔵容器に接続され、分配開口部を有する分配ヘッド、及び（ｉｉｉ）当該貯蔵容器から分配され及び当該分配開口部を通過する顆粒の分配を制御する当該分配ヘッド内の駆動手段、を含む。
【００３９】
全ての実施形態によると、本発明のこの態様の方法は、第１、第２、及び任意選択の追加的色合い成分の分配された量を特別注文の染毛組成物を配合するために混合する工程を最後に含む。組成物の物理的混合は当業者に既知の任意の好適な手段によって、又は任意の好適な技術を用いて実施することができる。典型的には、異なる色合い成分の混合は、過酸化物顕色剤及び毛髪を染めることのできる染毛組成物を形成する無色のクリームベースと共に順次混合する。
【００４０】
本発明の実施形態において、分配工程又は混合工程のいずれかの少なくとも１つがプロのカラリストによって、毛髪を染める顧客の目視観測内で行われる。例えば、分配工程又は混合工程のいずれかの少なくとも１つは、毛髪を染める顧客が座っている椅子の物理的に近傍の、ヘアサロンの領域内で持ち運びのできる染毛サービスカートにおいて、プロのカラリストが行う。有利なことには、顆粒状の色合い組成物は、分配及び／又は混合が顧客のいる前で行われる場合に使用される。
【００４１】
ただ今説明した本発明のこれらの実施形態に関連することは、アサロンで顧客にプロ仕様の染毛トリートメントを提供する改善された方法である。かかる方法は、本発明の方法による特別注文の染毛組成物を配合する工程を含んでもよく、配合は顧客の面前で行われ、特別注文の染毛組成物を顧客の毛髪に適用する。
【００４２】
本発明のさらなる態様によると、特別注文の染毛組成物によって毛髪に付与された、結果として生じる特別注文の毛髪色に関するプロのカラリスト及び／又は顧客の意見を、特定の色合い組成物の情報及び用いた混合物に添加された量と共に記録又はアーカイブ保管してもよい。これにより、後日、例えば、顧客が次に染毛トリートメントをするためにヘアサロンに戻ってきた時に、プロのカラリスト又は顧客がこの情報を参照することが可能となる。顧客が前回染毛トリートメントのために行ったのとは別の新しいヘアサロンに行く場合には、記録された又はアーカイブに保管された情報を、前回のヘアサロンから新しいヘアサロンに伝えることが可能である。かかる情報を伝達する好適な手段には、電話、ファクシミリ、電子メール、及びインターネットが挙げられるがこれらに限定されない。かかる工程により、特定の顧客が、かかる特定の顧客によって最も所望された又はかかる顧客にとって最も理想的な結果として生じる特別注文の毛髪色を得ることを最大限に可能とする。
【００４３】
「発明を実施するための最良の形態」で引用したすべての文献は、関連部分において本明細書に参照により組み込まれるが、いずれの文献の引用も、それが本発明に対する先行技術であることを容認するものと解釈されるべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【００４４】
本発明の特定の諸実施形態を図示し、記載したが、本発明の趣旨及び範囲から逸脱することなく他の様々な変更及び修正を実施できることは当業者には自明である。従って、本発明の範囲内にあるそのようなすべての変更及び修正を添付の特許請求の範囲で扱うものとする。
【００４５】
本明細書に開示される寸法及び値は、列挙された正確な数値に厳しく限定されるものとして理解されるべきでない。それよりむしろ、特に規定がない限り、こうした各寸法は、列挙された値とその値周辺の機能的に同等の範囲の両方を意味することが意図される。例えば、「４０ｍｍ」として開示された寸法は、「約４０ｍｍ」を意味することを意図する。
【国際調査報告】
2009536532.tif 000002
2009536532.tif 000003
2009536532.tif 000004